(57)【要約】【課題】火炎に対して素早く感応して火のまわりを抑制できるともに、この機能を長期間維持できる防炎通気筒状体を得ることにある。【解決手段】防炎通気筒状体２４ａは、筒状部５６と、この筒状部に接合された閉塞要素５８とを具備する。筒状部５６を、金属材料で、建物の壁体用木製横架材の厚みより長く形成することにより、熱感応性を向上するとともに、横架材を補強する。閉塞要素５８は、未発泡の耐火性発泡剤などからなり、所定温度以下では筒状部の内側通路５６ａを開いた状態に維持するとともに、所定温度を超える温度では発泡膨張して内側通路５６ａを閉じるようにする。【選択図】　　図７
2004052246.tif 000002
【特許請求の範囲】
【請求項１】
建造物の壁体用木製横架材の横架材通孔に挿入される金属製の筒状部と、この筒状部の内面の少なくとも一部に設けられ、所定温度以下では前記筒状部の内側通路を開いた状態に維持するとともに、所定温度を超える温度では前記内側通路を閉じるように発泡膨張する閉塞要素と、を具備する防炎通気筒状体。
【請求項２】
建造物の壁体用木製横架材の厚みより長く作られた筒状部と、この筒状部に設けられ所定温度以下では前記筒状部の内側通路を開いた状態に維持するとともに、所定温度を超える温度では前記内側通路を閉じるようにする閉塞要素と、を具備する防炎通気筒状体。
【請求項３】
請求項２に記載の防炎通気筒状体において、前記筒状部が前記所定温度を超える耐熱温度を有した金属製又は熱硬化性合成樹脂製である。
【請求項４】
請求項１から３の内のいずれか１項に記載の防炎通気筒状体において、前記筒状部外面から突出する孔塞ぎ凸部を備えている。
【請求項５】
請求項２から４の内のいずれか１項に記載の防炎通気筒状体において、前記閉塞要素が前記筒状部内面の少なくとも一部に設けられた未発泡の耐火性発泡剤である。
【請求項６】
請求項２から５の内のいずれか１項に記載の防炎通気筒状体において、前記内側通路を前記筒状部外と連通する１以上の通気部を有している。
【請求項７】
壁体用木製横架材に上下方向に貫通して設けられた横架材通孔と、前記横架材に重ねられる木製頭繋ぎに上下方向に貫通して設けられた頭繋ぎ通孔と、床体を構成する面材に上下方向に貫通して設けられた面材通孔とを備えるとともに、壁体内空間を有して枠組構造をなす建物の壁体であって、請求項１から６の内のいずれか１項に記載の防炎通気筒状体を、前記各横架材通孔の夫々に単独に又は重ねられた２以上の前記通孔にわたって挿入し、これら筒状体の内側通路と前記壁体内空間とで床下空間と小屋裏空間とを連通可能とする壁体内通気路が形成された建物の壁体。
【請求項８】
壁体内空間に配置されてファイアーストップ材として機能する壁体用木製横架材の夫々に、上下方向に貫通して設けられた横架材通孔を備えて軸組構造をなす建物の壁体であって、請求項１から６の内のいずれか１項に記載の防炎通気筒状体を、前記各横架材通孔の夫々に挿入し、これら筒状体の内側通路と前記壁体内空間とで床下空間と小屋裏空間とを連通可能とする壁体内通気路が形成された建物の壁体。
【請求項９】
屋根裏に形成された小屋裏空間と、この小屋裏空間の空気を換気する小屋裏換気部と、床下に形成された床下空間と、この床下空間の空気を換気する床下換気部と、前記両空間を連通する壁体内通気路を有する枠組構造の壁体とを具備する建物において、
前記壁体が有する壁体内空間に臨む壁体用木製横架材に横架材通孔を上下方向に貫通して設け、前記横架材に重ねられる木製頭繋ぎに頭繋ぎ通孔を上下方向に貫通して設け、床体を構成する面材に面材通孔を上下方向に貫通して設け、請求項１から６の内のいずれか１項に記載の防炎通気筒状体を、前記各横架材通孔の夫々に単独に又は重ねられた２以上の前記通孔にわたって挿入し、これら筒状体の内側通路と前記壁体が有する壁体内空間とで前記壁体内通気路が形成された建物。
【請求項１０】
屋根裏に形成された小屋裏空間と、この小屋裏空間の空気を換気する小屋裏換気部と、床下に形成された床下空間と、この床下空間の空気を換気する床下換気部と、前記両空間を連通する壁体内通気路を有する軸組構造の壁体とを具備する建物において、
前記壁体が有する壁体内空間に設けられてファイアーストップ材として機能する壁体用木製横架材の夫々に、横架材通孔を上下方向に貫通して設け、請求項１から６の内のいずれか１項に記載の防炎通気筒状体を、前記各横架材通孔の夫々に挿入し、これら筒状体の内側通路と前記壁体内空間とで前記壁体内通気路が形成された建物。
【請求項１１】
建物の壁体内空間に対する通気の出入り部分に設けられ、通気を可能とする通孔が開けられた金属製の筒状部と、この筒状部の内面の少なくとも一部に設けられ、所定温度以下では前記通孔を開いた状態に維持するとともに、所定温度を超える温度では前記通孔を閉じるように発泡膨張する閉塞要素と、を具備する防炎通気筒状体。
【請求項１２】
請求項１１に記載の防炎通気筒状体において、この筒状体は前記壁体用内装材を支持する胴縁である。
【請求項１３】
請求項１１に記載の防炎通気筒状体において、この筒状体は、前記建物の床体とこれを下側から支持する横架材との間に挟設されるかまし材である。
【請求項１４】
屋根裏に形成された小屋裏空間と、この小屋裏空間の空気を換気する小屋裏換気部と、床下に形成された床下空間と、この床下空間の空気を換気する床下換気部と、前記両空間を連通する壁体内通気路を有する壁体とを具備する建物において、
前記壁体の壁体内空間に対する通気の出入り部分に設けられた請求項１１から１３の内のいずれか１項に記載の防炎通気筒状体を備え、前記壁体内通気路が、前記防炎通気筒状体内と前記壁体内空間とを前記通孔を通して連通させて形成された建物。
【発明の詳細な説明】
【０００１】
【発明の属する技術分野】
本発明は、例えば建物の壁体内を通って床下空間から小屋裏空間への通気をとるために好適に使用される防炎通気筒状体、及びこの筒状体を備える建物の壁体、並びにこの壁体を備える木造住宅等の建物に関する。
【０００２】
【従来の技術】
柱、梁、土台、桁、及び筋交い等で構成される木造軸組構造の壁体で、この壁体が有する壁体内空間に配置される横架材の幅を壁体の幅と同じとすることは、この横架材をファイアーストップ材として機能させることができる。又、前記木造軸組構造の壁体より高い構造強度を得られるものとして、いわゆるツーバイ工法で作られる枠組構造の壁体がある。この壁体の枠体が有する横架材としての上枠及び下枠は、いずれもファイアーストップ材として機能できる。なお、床体を構成する横架材の縁部が壁体を仕切るように壁体内に挿入される場合には、この縁部もファイアーストップ材として機能できる。
【０００３】
しかし、これらのように横架材がファイアーストップ材を兼ねる場合には、外装材の内側に外気を流通させる壁体内通気路（通気層）を設けることができない。そのため、建物躯体内部に湿気又は熱気が滞留し易い。この点に配慮して横架材に通気孔を設けることが提案されている。この場合、火災が発生した場合に、壁体内通気路を通して火炎が上方に広がって、階上への延焼を助長する恐れがあるので、こうしたことがないようにする配慮が必要である。
【０００４】
特開平８−１３５０３８号公報には、壁体内通気路を通して火炎の上方への広がりを抑制できる防火遮断板が記載されている。この防火遮断板は、木材又は金属製その他各種材質の板材に設けた複数の通気孔の内面に、火災時の熱により発泡膨張して通気孔を塞ぐパイプ状の耐火性発泡剤を配設してなる。この発泡剤は板材から突出することなく設けられている。
【０００５】
前記発泡剤の強度は低いから、複数の通気孔が開けられた木製の防火遮断板では、その通気孔が断面欠損となる。そのため、この防火遮断板を備える壁体の構造強度が低下して、耐震性能を損なう懸念がある。
【０００６】
【発明が解決しようとする課題】
前記公報に記載の横架材としての板材が金属である場合には、これに接続される木製縦材などとの連結に特別な工夫が必要となるので、金属製板材とした防火遮断板は実際の建築工事では不便である。これに対して、木製板材を用いた防火遮断板は建築工事上での問題がない。ところで、耐火性発泡剤は塗膜や接着テープ（接着シール）として板材に設けられるが、木材に開けた通気孔内面の面粗さは金属表面などに比較して極めて粗く、しかも、木材は湿度の変化に応じて膨縮することも知られている。そのため、耐火性発泡剤の木材に対する接合保持力を建物の寿命が尽きるまで安定して維持する信頼性が低い。
【０００７】
又、防火遮断板が板材に開けた通気孔の内面に耐火性発泡剤全体が設けられている構成では、火災時の熱が作用した場合、熱伝導性が悪い木製板材の温度上昇に見合って耐火性発泡剤が温度上昇するので、火災時の熱に耐火性発泡剤が素早く感応することが難しい。そのため、耐火性発泡剤が充分機能するまでには、煙が通気孔を通って上方へ拡散し易く、火のまわりを防止する信頼性が低い。
【０００８】
本発明が解決しようとする課題は、火炎に対して素早く感応して火のまわりを抑制できるとともに、この機能を長期間維持可能な防炎通気筒状体、建物の壁体、及び建物を得ることにある。
【０００９】
【課題を解決するための手段】
前記課題を解決するために、請求項１に係る発明の防炎通気筒状体は、建造物の壁体用木製横架材の横架材通孔に挿入される金属製の筒状部と、この筒状部の内面の少なくとも一部に設けられ、所定温度以下では前記筒状部の内側通路を開いた状態に維持するとともに、所定温度を超える温度では前記内側通路を閉じるように発泡膨張する閉塞要素と、を具備している。
【００１０】
この請求項１の発明では、金属製筒状部の長さは、木製横架材の厚み以下でもよいが、同等以上とする方が火炎の熱をより素早く得ることができる点で好ましい。筒状部をなす金属の強度は、木製横架材より弱くてもよいが、強い方が好ましい。請求項１の発明の防炎通気筒状体は、前記筒状部外面から突出する孔塞ぎ凸部を備えるとよい。
【００１１】
請求項１の発明の防炎通気筒状体は、その筒状部を壁体の木製横架材に開けた横架材通孔に挿入して用いられ、非火災時、閉塞要素は筒状体の内側通路を開いたままである。そのため、ファイアーストップ材として機能する横架材を通る通気が防炎通気筒状体によって可能となる。この防炎通気筒状体の筒状部は金属製で、木製横架材より熱伝導性に優れるので、火災時に下方から作用する火炎の熱を容易に吸収して横架材よりも素早く昇温できる。それにより、閉塞要素による筒状体の内側通路の閉塞機能を発現させて、前記通気を断つことができる。又、金属製筒状部の内面の表面は木材に比較して緻密であるので、この面に例えば接合等により設けられる閉塞要素の取付け信頼性が高く、かつ、金属は木材のように湿気の影響で膨縮することもない。
【００１２】
又、前記課題を解決するために、請求項２に係る発明の防炎通気筒状体は、建造物の壁体用木製横架材の厚みより長く作られた筒状部と、この筒状部に設けられ所定温度以下では前記筒状部の内側通路を開いた状態に維持するとともに、所定温度を超える温度では前記内側通路を閉じるようにする閉塞要素と、を具備している。
【００１３】
この請求項２の発明で、前記筒状部は前記所定温度を超える耐熱温度を有した金属製又は熱硬化性合成樹脂製とでき、この発明の防炎通気筒状体は、前記筒状部外面から突出する孔塞ぎ凸部を備えるとよい。更に、請求項２の発明では、前記閉塞要素を前記筒状部内面の少なくとも一部に設けられた未発泡の耐火性発泡剤とすることができ、又、請求項２の発明では、前記筒状部がその内側通路を前記筒状部外と連通する１以上の通気部を有することもできる。
【００１４】
請求項２の発明の防炎通気筒状体は、それが壁体用木製横架材に配置された状態では、この横架材を厚み方向に貫通する。非火災時には閉塞要素が筒状体の内側通路を開いたままであるので、ファイアーストップ材として機能する横架材を通る通気が防炎通気筒状体によって可能となる。横架材を厚み方向に貫通している筒状体の下部は横架材よりも下位置に設けられるため、火災時に主に下方から作用する火炎に対して木製横架材よりも近い筒状体を先に素早く昇温させ、閉塞要素による筒状体の内側通路の閉塞機能を発現させて、前記通気を断つことができる。
【００１５】
又、前記課題を解決するために、請求項７に係る発明の建物の壁体は、壁体用木製横架材に上下方向に貫通して設けられた横架材通孔と、前記横架材に重ねられる木製頭繋ぎに上下方向に貫通して設けられた頭繋ぎ通孔と、床体を構成する面材に上下方向に貫通して設けられた面材通孔とを備えるとともに、壁体内空間を有して枠組構造をなす建物の壁体であって、請求項１から６の内のいずれか１項に記載の防炎通気筒状体を、前記各横架材通孔の夫々に単独に又は重ねられた２以上の前記通孔にわたって挿入し、これら筒状体の内側通路と前記壁体内空間とで床下空間と小屋裏空間とを連通可能とする壁体内通気路が形成されている。
【００１６】
この請求項７の発明は、枠組構造の壁体において請求項１から６の内のいずれか１項の防炎通気筒状体を備えて壁体内通気路を形成しているので、非火災時にファイアーストップ材として機能する横架材を通る通気を可能とでき、火災時には筒状体を素早く昇温させて前記通気を断つことができるとともに、この機能を長期間にわたり維持できる。
【００１７】
又、前記課題を解決するために、請求項８に係る発明の建物の壁体は、壁体内空間に配置されてファイアーストップ材として機能する壁体用木製横架材の夫々に、上下方向に貫通して設けられた横架材通孔を備えて軸組構造をなす建物の壁体であって、請求項１から６の内のいずれか１項に記載の防炎通気筒状体を、前記各横架材通孔の夫々に挿入し、これら筒状体の内側通路と前記壁体内空間とで床下空間と小屋裏空間とを連通可能とする壁体内通気路が形成されている。
【００１８】
この請求項８の発明は、軸組構造の壁体において請求項１から６の内のいずれか１項の防炎通気筒状体を備えて壁体内通気路を形成しているので、非火災時にファイアーストップ材として機能する横架材を通る通気を可能とでき、火災時には筒状体を素早く昇温させて前記通気を断つことができるとともに、この機能を長期間にわたり維持できる。
【００１９】
又、前記課題を解決するために、請求項９に係る発明の建物は、屋根裏に形成された小屋裏空間と、この小屋裏空間の空気を換気する小屋裏換気部と、床下に形成された床下空間と、この床下空間の空気を換気する床下換気部と、前記両空間を連通する壁体内通気路を有する枠組構造の壁体とを具備する建物において、前記壁体が有する壁体内空間に臨む壁体用木製横架材に横架材通孔を上下方向に貫通して設け、前記横架材に重ねられる木製頭繋ぎに頭繋ぎ通孔を上下方向に貫通して設け、床体を構成する面材に面材通孔を上下方向に貫通して設け、請求項１から６の内のいずれか１項に記載の防炎通気筒状体を、前記各横架材通孔の夫々に単独に又は重ねられた２以上の前記通孔にわたって挿入し、これら筒状体の内側通路と前記壁体が有する壁体内空間とで前記壁体内通気路が形成されている。
【００２０】
この請求項９の発明は、枠組構造の壁体を備えた建物において請求項１から６の内のいずれか１項に記載の防炎通気筒状体を備えて壁体内通気路を形成しているので、非火災時にファイアーストップ材として機能する横架材を通る通気を可能とでき、火災時には筒状体を素早く昇温させて前記通気を断つことができるとともに、この機能を長期間にわたり維持できる。
【００２１】
又、前記課題を解決するために、請求項１０に係る発明の建物は、屋根裏に形成された小屋裏空間と、この小屋裏空間の空気を換気する小屋裏換気部と、床下に形成された床下空間と、この床下空間の空気を換気する床下換気部と、前記両空間を連通する壁体内通気路を有する軸組構造の壁体とを具備する建物において、前記壁体が有する壁体内空間に設けられてファイアーストップ材として機能する壁体用木製横架材の夫々に、横架材通孔を上下方向に貫通して設け、請求項１から６の内のいずれか１項に記載の防炎通気筒状体を、前記各横架材通孔の夫々に挿入し、これら筒状体の内側通路と前記壁体内空間とで前記壁体内通気路が形成されている。
【００２２】
この請求項１０の発明は、軸組構造の壁体を備えた建物において請求項１から６の内のいずれか１項に記載の防炎通気筒状体を備えて壁体内通気路を形成しているので、非火災時にファイアーストップ材として機能する横架材を通る通気を可能とでき、火災時には筒状体を素早く昇温させて前記通気を断つことができるとともに、この機能を長期間にわたり維持できる。
【００２３】
又、前記課題を解決するために、請求項１１に係る発明の防炎通気筒状体は、建物の壁体内空間に対する通気の出入り部分に設けられ、通気を可能とする通孔が開けられた金属製の筒状部と、この筒状部の内面の少なくとも一部に設けられ、所定温度以下では前記通孔を開いた状態に維持するとともに、所定温度を超える温度では前記通孔を閉じるように発泡膨張する閉塞要素と、を具備している。
【００２４】
この請求項１１の発明の防炎通気筒状体は、壁体用内装材を支持する胴縁として適用でき、或いは前記建物の床体とこれを下側から支持する横架材との間に挟設されるかまし材として適用できる。
【００２５】
請求項１１の発明の防炎通気筒状体が有する通孔は、非火災時には開いたままであるので、壁体内通路の通気は防炎通気筒状体の通孔を通って流通することで可能である。この防炎通気筒状体は金属製で、木材より熱伝導性に優れるので、火災時に主に下方から作用する火炎の熱を容易に吸収して木材よりも素早く昇温できる。それにより、内部の耐火性発泡剤製閉塞要素の発泡による通孔の閉塞機能を発現させて、前記通気を断つことができる。又、金属製筒状部の内面の表面は木材に比較して緻密であるので、この面に例えば接合等により設けられる閉塞要素の取付け信頼性が高く、かつ、金属は木材のように湿気の影響で膨縮することもない。
【００２６】
又、前記課題を解決するために、請求項１４に係る発明の建物は、屋根裏に形成された小屋裏空間と、この小屋裏空間の空気を換気する小屋裏換気部と、床下に形成された床下空間と、この床下空間の空気を換気する床下換気部と、前記両空間を連通する壁体内通気路を有する壁体とを具備する建物において、前記壁体の壁体内空間に対する通気の出入り部分に設けられた請求項１１から１３の内のいずれか１項に記載の防炎通気筒状体を備え、前記壁体内通気路が、前記防炎通気筒状体内と前記壁体内空間とを前記通孔を通して連通させて形成されている。
【００２７】
この請求項１４の発明は、請求項１１から１３の内のいずれか１項の防炎通気筒状体を備えて壁体内通気路を形成しているので、非火災時には壁体内通気路を通る通気を可能とでき、火災時には防炎通気筒状体を素早く昇温させて前記通気を断つことができるとともに、この機能を長期間にわたり維持できる。
【００２８】
【発明の実施の形態】
以下、図１〜図１０を参照して本発明の第１実施形態を説明する。
【００２９】
図１中符号１で示す建造物例えば建物は、外断熱を施した木造住宅であるとともに、外側通気層２と、内側通気層としての壁体内通路３とを備えている。
【００３０】
外断熱を施すとともに外側通気層２を設けるために、建物１の躯体をなす壁体４の外側に断熱材５（第１の外壁）が外張りされているとともに、更に、この断熱材５の外面との間に所定の隙間を設けて外装材６（第２の外壁）が外張りされている。断熱材５には、プラスチック系断熱材例えば独立発泡された発泡ポリスチレンを一層又は複層としたボードを好適に使用できる。更に、断熱材５には、難燃性又は不燃性のフェノールフォーム、ＡＬＣ（軽量発泡コンクリート）、耐熱性合成樹脂の板等を使用でき、断熱材が難燃性の場合は図示しないが断熱材の屋内側面に合板などを配置するとよい。この断熱材５と外装材６との間には上下方向に延びる図示しない胴縁が挟まれていて、これらの部材によって壁体４の外側に外側通気層２を形成する前記隙間が確保されている。
【００３１】
外側通気層２の下端は雨仕舞のための水切りまわりで大気中に連通されている。建物１の小屋裏空間７も外断熱を施されている。そのために、図１に示すように外装材をなす屋根材８の裏側に小屋裏断熱材９が配設され、これらの間に外側通気層１０が形成されている。この外側通気層１０の下側に壁体４まわりの前記外側通気層２の上端が連通されているとともに、外側通気層１０の上部は屋根部に設けた図示しない排気口に連通されている。なお、外側通気層２は軒下で止まっていて外側通気層１０とは連通していなくてもよい。
【００３２】
建物１の上部に小屋裏空間７を区画する小屋裏断熱材９には、前記断熱材５と同種の断熱材を使用できる。建物１の上部には、小屋裏換気部として例えば小屋裏空間７と屋外との連通を任意に開閉できる１以上の小屋裏ダンパ１１が取付けられている。このダンパ１１は、手動又は電動により開閉できるものであって、ドレーキップ窓や天窓等の開口部開閉用の通常の建具を包含し、又、電動ファンを備える換気扇も包含する。
【００３３】
図１〜図３中符号１２は建物１の基礎コンクリート１３によって区画された床下空間を示している。基礎コンクリート１３は、その屋外面または屋内面の内の少なくとも一方に被着された断熱層１３ａを有している。基礎コンクリート１３を断熱することは、屋内を対流する空気循環に伴って屋内外にわたる伝熱を抑制できる点で好ましい。基礎コンクリート１３は所定箇所に１以上の換気口１４を有している。基礎コンクリート１３には、床下換気部として例えば換気口１４を手動又は電動により任意に開閉できる床下ダンパ１５が取付けられている。
【００３４】
基礎コンクリート１３上には土台１６が固定されている。この土台１６上には壁体内通路３を有する枠組構造の壁体４が設けられている。図１及び図２に示す２階建て以上の建物の壁体４は、階下側枠体１７ａと階上側枠体１７ｂと、端根太２１、転び止め２２、頭繋ぎ２３、及び複数の第１、第２の防炎通気筒状体（以下筒状体と略称する。）２４ａ、２４ｂなどを備えている。筒状体２４ａ、２４ｂ以外の各壁体構成部材はいずれも木材であり、その材質としては、杉、松、米つがなどの無垢材又は構造用集成材といったものを例示できる。
【００３５】
枠体１７ａ、１７ｂは、図６に例示するように上枠２５、下枠２６の両端を縦枠２７で連結するとともに、内側に適当本数の例えば縦桟２８を上下両枠２５、２６等に渡って架設した構成を基本形としている。なお、図６に示した枠体は窓取付け用の開口部２８を作るための開口部上枠２９及び開口部下枠３０とが一部に横架されているとともに、開口部上枠２９を上方から固定するための複数のまぐさ３１が設けられている。開口部２８には、図２に例示するように引き戸３２及びサッシュを備える窓３３の内、少なくとも後者の窓３３が取付けられる。
【００３６】
階下用枠体１７ａは、土台１６上に下側の端根太２１及びこの端根太２１の床下空間側１２側の面に重ねられる転び止め２２を介して配置されているとともに、図１に示す緊結用ボルト３４ａを有するホールダウン金物３４を用いて固定されている。この金物３４を縦枠２７等の鉛直材と基礎コンクリート１３とを直接的に緊結して設けられ、それにより構築される躯体に高い構造強度を得ている。
【００３７】
枠体１７ａの内側に壁体用内装材３５が張り付けられている。内装材３５は、内装下地材およびこの表面に張られて居住空間（居室）に臨む石膏ボードなどからなる。内装材３５の下端には階下用床体を構成する面材例えば耐力面材３６が連結され、この耐力面材３６は階下用床根太３７上に支持されている。枠体１７ａの下枠２６の下面の一部と、これに面一的に連なった耐力面材３６の下面とは、床下空間１２に臨んでいる。なお、耐力面材３６の壁体４側部分は、下枠２６の下面を覆って配置されるように延長させることができる。この場合には、前記延長部分にホールダウン金物３４の緊結用ボルト３４ａが貫通して緊結されるので、躯体に高い構造強度を発現させることができる。
【００３８】
図１、図２、図４中符号３８は居住空間の天井をなす内装材で、前記縦方向の内装材３５の上部にほぼ直角に連なって配設されている。この天井用内装材３８は、内装下地材、この表面に張られて居住空間に臨む石膏ボード、及び内装下地材の裏面に設けられた吸音層などからなる。
【００３９】
図４に示すように階下用枠体１７ａの上枠２５上には、この上に階上用枠体１７ｂを緊結するための頭繋ぎ２３が重ねて設けられている。頭繋ぎ２３上には、階上用枠体１７ｂを支持するため上側の端根太２１及び一対の転び止め４３ａ、４３ｂが配置されている。なお、本明細書で階上とは、２階、３階など１階以外の階を指している。符号４１は端根太２１及び転び止め２２と同じ高さ寸法の階上用床根太を示している。一対の転び止め４３ａ、４３ｂは互いに離れていて、相互間に隙間４２を設けている
階上用枠体１７ｂは、階下用の端根太２１、転び止め２１、及び床根太３７上に対する枠体１７ａの既述の設置と同様に、ホールダウン金具などを用いて階上用の端根太２１、転び止め４３ａ、４３ｂ、並びに床根太３７上に設置されている。又、この階上用枠体１７ｂに対する壁体用及び天井用の各内装材、並びに階上用床体をなす面材例えば耐力面材等の取付けは、階下用と同様であるので、同一部分には同一符号を付して説明を省略する。
【００４０】
しかし、階上用床耐力面材３６の壁体４側部分は、階上用枠体１７ｂの下枠２６の下面を覆うように延長されていて、この延長部分３６ａ（図４参照）は、階上用枠体１７ｂの下枠２６と、階下用の端根太２１及び転び止め４３ａ、４３ｂとの間に挟まれている。又、階上の天井用内装材３８には消音層は含まないものが使用されている。
【００４１】
図１及び図５に示すように階上用枠体１７ｂの上枠２５には、この上に屋根を支持するための転び止めや天井根太等を緊結するための頭繋ぎ２３が重ねて設けられている。以上のように上下に隣接した枠体１７ａ、１７ｂを備えた壁体４は、上下の壁体内空間４ａを有している。下側の壁体内空間４ａは枠体１７ａとこれに装着された内装材３５及び枠体１７ａを外側から覆った断熱材５とで区画され、同様に上側の壁体内空間４ｂは枠体１７ｂとこれに装着された内装材３５及び枠体１７ｂを外側から覆った断熱材５とで区画されている。
【００４２】
壁体４が備える枠体１７ａ、１７ｂの上枠２５及び下枠２６、並びに頭繋ぎ２３、並びに階上用耐力面材３６の延長部分３６ａはいずれも木製横架材である。上枠２５及び下枠２６には図３〜図６等に示すように上下方向に貫通する横架材通孔５１が１以上開けられている。言いかえれば、各横架材通孔５１は壁体内空間４ａ又は４ｂに臨む木部に開けられている。これらの通孔５１の寸法、形状、相互間隔、位置等は、必要な構造強度を損なわない範囲で任意に設定できる。本実施形態のツーバイフォー工法の場合では、横架材の幅方向中心に対して片寄らせた位置に直径１０ｍｍ〜５０ｍｍの孔を、横架材の長手方向に５０ｍｍ〜２５０ｍｍ間隔で設けたものを例示できる。各横架材通孔５１は壁体内空間４ａ又は４ｂに対する通気の出入り部分として機能する。
【００４３】
図４及び図５に示すように頭繋ぎ２３にも１以上の横架材通孔５２が開けられているとともに、延長部分３６ａにも１以上の横架材通孔５３が開けられている。これらの通孔５２、５３はいずれも、前記横架材通孔５１と同じパターンで設けられていて、前記横架材通孔５１に対して横架材通孔５２、５３が直接対向して連通されるようになっている。隙間４２の上端は横架材通孔５３に直接対向して連通され、隙間４２の下端は階下用頭繋ぎ２３の横架材通孔５２に直接対向して連通される位置に形成されている。各横架材通孔５２、５３も壁体内空間４ａ又は４ｂに対する通気の出入り部分として機能する。
【００４４】
図６に例示するように枠体１７ａ、１７ｂの縦枠など鉛直材にも、１以上の鉛直材通孔５４が開けられている。言いかえれば、各鉛直材通孔５４は壁体内空間４ａ又は４ｂに臨む木部に開けられている。これら通孔５４も壁体内空間４ａ又は４ｂに対する通気の出入り部分として機能するが、これらは省略することも可能である。しかし、これらの通孔５４を通して枠体１７ａ、１７ｂの各区画相互を横方向に連通させることにより、区画間及び横方向に隣接する枠体間での壁体内通気を確保して、前記区画等に熱気や湿気がこもることを抑制できる点で好ましい。以上の各通孔５１〜５４は、現場加工、又は工場加工のいずれによって設けてもよいが、建物１を構築する作業効率の面からは工場加工とすることが望ましい。
【００４５】
図３に示す床下空間１２側の各横架材通孔５１、及び図５に示す小屋裏空間７側の互いに重なって連通した各横架材通孔５１、５２には、図７に示す比較的短い筒状体２４ａがいずれも挿入されている。図４に示す階上側床根太４１まわりで互いに連通した横架材通孔５１、５３、及びこの下方に隙間４２を介して対向するとともに互いに連通した横架材通孔５１、５２には、これらに渡る長さ以上の長さを有する図８の筒状体２４ｂがいずれも挿入されている。
【００４６】
筒状体２４ａ、２４ｂは、その長さは異なるが、基本的には同じ構成であり、筒状部５６と、孔塞ぎ凸部５７と、閉塞要素５８とを備えている。筒状体２４ａの筒状部５６は、例えば円筒形状であって、その外径は各通孔５１〜５４の径より例えば１ｍｍ大きい。筒状部５６の軸方向両端はいずれもが開放されており、この筒状部５６の軸方向に延びる内部空間は通気用の内側通路５６ａとして機能する。筒状部５６は、下枠２６の厚みより長く、詳しくは、互いに重なった上枠２５及び頭繋ぎ２３の合計厚みより長く形成されている。筒状部５６の下端には通孔への挿入性を高めるために面取りが施されている。
【００４７】
孔塞ぎ凸部５７は、筒状部５６と一体であって、この筒状部５６の例えば上端に好ましくは全周に渡り連続する円形のフランジとして設けられている。なお、この孔塞ぎ凸部５７は、筒状部５６とは別に形成されたパイプやワッシャー等を筒状部５６に取付けて設けることもできる。孔塞ぎ凸部５７の各通孔５１〜５４の径より数倍大きい。孔塞ぎ凸部５７の裏面には例えば環状の食い込み部５７ａが一体に突設されている。この食い込み部５７ａは省略することも可能であるが、孔塞ぎ凸部５７を加圧して横架材に食い込ませることにより、横架材からの外れ止めを確実にしている。
【００４８】
筒状部５６及び孔塞ぎ凸部５７は、横架材を構成する木材の耐熱温度（木材の着火温度２６０℃〜２９０℃）と同等以上の耐熱性、好ましくは火災時の壁体内温度に耐える耐熱性を有し、かつ、木材と同等以上の強度を有し、より好ましく熱伝導性に優れる金属や合成樹脂等で作ることができる。本実施形態では、材料コストが安価な鉄系金属を採用している。筒状部５６を金属製とすることは、その熱伝導性により優れた熱感知性能を得ることができる点で好ましい。なお、筒状部５６に要求される強度（剛性）とは、縦横の区画材に軸方向に働く引張り力や圧縮力に対する強度を補うことと、それによる壁の面内のせん断強度を低下を補う強度をいう。筒状部５６及び孔塞ぎ凸部５７の合計重量は、仮に壁体内空間４ａ又は４ｂに火炎に伴う激しい上昇気流が生じた場合に、孔塞ぎ凸部５７が横架材から浮き上がらないようにするのに必要な重量に設定されている。この点でも金属製とすること及び孔塞ぎ凸部５７を有することは好ましい。
【００４９】
なお、筒状部５６及び孔塞ぎ凸部５７の防錆性能を向上させるとともに、以下説明する耐火性発泡剤との安定した接合性能を得る目的で、筒状部５６の少なくとも内面にメッキ層を設けることは妨げない。このメッキ層としては、低コストの亜鉛メッキ、カチオン塗装、ダクロタイズ処理など住宅用金物に一般的に使われるものが好適である。
【００５０】
閉塞要素５８として本実施形態では未発泡の耐火性発泡剤を使用している。この発泡剤としては、炭化成分、炭化促進剤、発泡主剤、及びバインダ、そして必要に応じて添加される可塑剤、並びに充填剤を含む耐熱性樹脂塑性物を例示できる。炭化成分はカーボンを生成させる主成分である。炭化促進剤は炭化成分のカーボン化を促進させる成分である。発泡主剤は発泡を担う主成分である。バインダは前記各材料を結合して耐熱性樹脂塑性物の物性を改善するものである。そして、可塑剤は、耐熱性樹脂塑性物に柔軟性を付与して塗膜の成形性を高める機能を有し、充填剤は、耐熱性樹脂塑性物の不燃性を高めかつ発泡密度を高める機能を有する。
【００５１】
この耐火性発泡剤からなる閉塞要素５８は、テープ基材に発泡剤の層を塗布してなる接着テープ、或いは発泡剤そのものからなるテープ、又は塗膜の形で筒状部５６の内周面に接合して設けられる。接着テープとして設けられる耐火性発泡剤の発泡倍率は、１０〜３０倍発泡であり、又、塗膜として設けられる耐火性発泡剤の発泡倍率は、５〜２０倍発泡である。そのため、筒状部５６の内周面を覆う閉塞要素５８の厚みは１ｍｍ程度でよい。この閉塞要素５８によって内側通路５６ａの流路断面積が減ることは実質的に無視でき、壁体４内の通気に必要な流路断面積を内側通路５６ａで確保できる。
【００５２】
未発泡の耐火性発泡剤からなる閉塞要素５８は、横架材をなす木材の耐熱温度以下の所定温度で発泡して、この発泡を完了する性能を有している。前記発泡を開始する温度は、例えば６０℃〜２５０℃、好ましくは２００℃〜２５０℃であり、この温度を超える温度では発泡が完了して、この発泡により、内側通路５６ａを通る通気が実質的に遮断されるように内側通路５６ａを閉じるようになっている。なお、本実施形態のように筒状部５６の内周面全体に耐火性発泡剤からなる閉塞要素５８を設けることは、それが発泡した場合の内側通路５６ａの閉塞信頼性が高い。しかし、これに限らず、筒状部５６の軸方向の一部にだけ設けることができるとともに、耐火性発泡剤はあらゆる方向に膨張するので、完全に内周面の全周にわたって環状に設けることも必須ではない。耐火性発泡材は筒状部５６の少なくとも下端部に設けることは、より先に火炎を受けられるので好ましい。又、閉塞要素をなす発泡剤には、前記例示のものの他に、熱で燃えて、膨らんで、この膨らみ状態で固体となる一般市販品を用いることができる。
【００５３】
壁体４の縦枠２７、２８等などの鉛直材に設けた各鉛直材通孔５４には、図７に示した比較的短い筒状体２４ａが夫々挿入して取付けられている。なお、この場合筒状体２４ａが鉛直材通孔５４から脱落しないように、この通孔５４の径を筒状体２４ａの外径より小さくして、筒状体２４ａを鉛直材通孔５４に圧入して貫通させるとよい。この場合、孔塞ぎ凸部５７で叩打力を受けて、筒状体２４ａが潰れないようにできる。
【００５４】
又、横架材通孔５１〜５３又は鉛直材通孔５４に対して筒状部５６が遊挿される条件下で、筒状体２４ａ、２４ｂの脱落止めを要する場合には、図１０に示すように孔塞ぎ凸部５７に小孔や図示しないスリット等の釘通し部５７ａを設けて、そこに通した釘５９を横架材又は鉛直材に打ち付けることで対応してもよい。
【００５５】
各筒状体２４ａ又は２４ｂは、それらに対応する各横架材通孔５１〜５３の夫々に建築工事の現場で落とし込みにより挿入して設けられ、必要により孔塞ぎ凸部５７が下方に叩打される。したがって、横架材への防炎通気筒状体２４ａ、２４ｂの取付け施工が簡易であり、汎用化、一般化がし易い。
【００５６】
床下空間１２に臨んだ階下側の下枠２６に筒状体２４ａが設置された状態を図３に示す。この状態では、筒状部５６の下部が下枠２６の横架材通孔５１を挿通して下枠２６の下方に突出するとともに、孔塞ぎ凸部５７が横架材通孔５１を上方から覆っている。そのため、階下の壁体内空間４ａと床下空間１２とが筒状部５６の内側通路５６ａにより連通される。
【００５７】
小屋裏空間７に臨んだ階上側の上枠２５及び頭繋ぎ２３にわたって筒状体２４ａが設置された状態を図５に示す。この状態では、筒状部５６の下部が互いに重なった頭繋ぎ２３及び上枠２５の横架材通孔５２、５１を挿通して上枠２５の下方に突出するとともに、孔塞ぎ凸部５７が横架材通孔５２を上方から覆っている。そのため、階上の壁体内空間４ｂと小屋裏空間７とが筒状部５６の内側通路５６ａにより連通される。
【００５８】
階上の下枠２６と階下の上枠２５とにわたって筒状体２４ｂが設置された状態を図４に示す。この状態で筒状体２４ｂは、下枠２６とこれに重なった階上の耐力面材３６の延出部分３６ａとの互いに連通した横架材通孔５１、５３、及びこの下方につらなる隙間４２、並びに階下の頭繋ぎ２３と上枠２５との互いに連通した横架材通孔５２、５１を挿通して、上枠２５の下方に突出されており、又、孔塞ぎ凸部５７は階上の下枠２６の横架材通孔５１を上方から覆っている。そのため、階上及び階下の壁体内空間４ａ、４ｂ同士が筒状体２４ｂの筒状部５６の内側通路５６ａにより連通される。
【００５９】
したがって、以上のように各筒状体２４ｂの内側通路５６ａと、これらを介して上下に連通された階上及び階下の壁体内空間４ａ、４ｂとで、壁体４内に上下方向の壁体内通路３が形成される。この通路３の下側は図３に示した筒状体２４ａの内側通路５６ａを介して床下空間１２に連通されているとともに、上側は図５に示した筒状体２４ａの内側通路５６ａを介して小屋裏空間７に連通されている。そのため、結果的に床下空間１２と小屋裏空間７とは、内側通気層をなす壁体内通路３によって連通されている。したがって、床下空間１２から壁体内通路３をへて小屋裏空間７に至る内側通気により、壁体４内の排熱・排湿ができるとともに、床下空間１２と小屋裏空間７との温度差による空気密度差で生じる対流によって、居住者に与える住まい心地を向上させることができる。
【００６０】
図４に示すように前記転び止め４３ｂには１以上の通孔４３ｃが開けられているとともに、筒状体２４ｂの筒状部５６には通気部５６ｂが設けられている。通気部５６ｂは前記隙間４２に位置される部分に、例えば径方向に相対向し、かつ、筒状部５６及び閉塞要素５８を貫通して内側通路５６ａと外部とを連通する小孔で形成されている。なお、通気部５６ｂはスリットや長孔で形成することもできる。これら通気部５６ｂ及び通孔４３ｃにより、階下の天井用内装材３８と階上の耐力面材３６との間に形成される階上床下空間７０と隙間４２とは連通されている。そのため、階上床下空間７０内の空気を前記内側通気に取り込んで排出させることができる。
【００６１】
図４中符号６１、６２は、隣接する居住空間を仕切る階下及び階上の内装材を示している。この仕切り用内装材６１、６２には間仕切り壁や界壁が含まれる。階下の内装材６１間の壁間空間は床下空間１２に連通されている。階下の内装材６１の上端部間には、横架材としての木製上枠６３とこの上に重ねられた木製頭繋ぎ６４とが取付けられている。階上の内装材６２間の壁間空間は小屋裏空間７に連通されている。階上の内装材６２の下端部間には、横架材としての木製下枠６５が取付けられているとともに、この下枠６５の下面には階上の耐力面材３６の一部３６ｂが重ねられている。この重ねられた耐力面材３６の一部３６ｂ、上枠６３、頭繋ぎ６４、及び下枠６５の夫々には、複数の横架材通孔６６が、前記横架材通孔と同様に等間隔又は不等間隔で開けられている。頭繋ぎ６４と耐力面材３６の一部３６ｂとの間には転び止め６７（なお、端根太や側根太の場合もある。）が挟まれている。この転び止め６７には複数の鉛直材通孔６９とが夫々開けられている。
【００６２】
下枠６５と上枠６３との間にはこれらにわたって図９に示される第３の防炎通気筒状体２４ｃが挿入されている。この筒状体２４ｃの構成は、筒状部５６に通気部を有していない他は図８に示した筒状体２４ｂと同じである。この筒状体２４ｃは、下枠６５とこれに重なった階上の耐力面材３６の一部３６ｂとの互いに連通した横架材通孔６６、及びこの下方につらなる縦孔６８、並びに階下の頭繋ぎ６４と上枠６３との互いに連通した横架材通孔６６を挿通して、上枠６３の下方に突出されており、又、孔塞ぎ凸部５７は階上の下枠６５の横架材通孔６６を上方から覆っている。そのため、階下及び階上の内装材６１間の壁間空間同士が連通され、したがって、この連通路を通して床下空間１２と小屋裏空間７とが通気されるので、前記壁間空間に熱気や湿気がこもることを防止できる。
【００６３】
転び止め６７の鉛直材通孔６９には、これよりも長い前記筒状体２４ａが挿通されている。そのため、転び止め６７で区切られた階上床下空間７０が連通されるので、既述のように通気部５６ｂ及び通孔４３ｃを経て階上床下空間７０内の空気を壁体４の壁体内通路３に取り込んで排出させることができる。なお、縦枠２７、２８などの鉛直材を貫通して取付けた筒状体２４ａについては、閉塞要素５８を省略できるともに、木部と同等以上の強度を有する金属等の材料から形成されて、かつ、孔塞ぎ凸部５７を有さない単なる管であってよい。
【００６４】
以上の壁体内通路３を有する枠組構造の壁体４の横架材である上下両枠２５、２６、頭繋ぎ２３、及び耐力面材３６の延出部分３６ａなどは、いずれもファイアーストップ材として機能する。壁体４に火災による火炎が波及した場合、その火炎は壁体内通路３の筒状体２４ａ、２４ｂ等の上方に通過しようとする。
【００６５】
しかし、筒状体２４ａ、２４ｂの筒状部５６は金属製であり、この金属より熱伝導率が悪い木製横架材よりも素早く温度が上がり易い。その上、横架材を厚み方向に貫通している筒状体２４ａ、２４ｂの下部は横架材よりも下位置に突出して火炎に近い位置にある。そのため、火災時に下方から作用する火炎の熱を、横架材よりも先に受けて、筒状体２４ａ、２４ｂは横架材よりも速やかに加熱される。この場合、金属製の筒状体２４ａ、２４ｂは、合成樹脂等に比較して熱伝導性に優れるので、火炎の熱をより速やかに耐熱性発泡材からなる閉塞要素５８に波及させることができる。
【００６６】
こうして横架材の昇温よりも素早く筒状体２４ａ、２４ｂが昇温する。そのため、横架材が発火温度に達する以前に、筒状体２４ａ、２４ｂ内の耐熱性発泡材からなる閉塞要素５８が、所定温度以上に昇温されて発泡膨張して、筒状体２４ａ、２４ｂの内側通路５６ａを実質的に閉塞し、この閉塞状態を維持する。これにより、壁体内通路３での通気を断って火炎が上方に延焼することを抑制できる。なお、発泡膨張した耐熱性発泡材からなる閉塞要素５８は、火炎によって炭化してファイアーストップ材として機能する。また、この場合、筒状体２４ａ、２４ｂの孔塞ぎ部５８は、横架材通孔５１〜５３と筒状部５６との間の僅かなギャップを通って火が回ることを防止する。
【００６７】
しかも、耐熱性発泡材からなる閉塞要素５８は塗膜や接着テープ（接着シール）の形で設けられるが、これは木製横架材に開けた横架材通孔５１〜５３などのような粗面に直接取付けられておらず、木材に比較して表面性状が極めて密な金属などからなる筒状部５６の内周面に接合されている。そのため、接合強度が高い。又、金属の筒状部５６は木材のように湿度の変化で膨縮することがないので、閉塞要素５８の接合保持力を建物の寿命が尽きるまで安定して維持できる。したがって、万が一の火災に対する既述の通気遮断作用の信頼性が高い。
【００６８】
更に、横架材通孔５１〜５３が複数開けられた木製の横架材は、その横架材通孔５１〜５３が断面欠損となることは避けられない。そして、この断面欠損は耐熱性発泡材からなる閉塞要素５８で補うことはできない。しかし、横架材通孔５１〜５３には、木材強度と同等以上の強度を有する例えば鉄系の筒状部５６が挿入されているので、この筒状部５６自体の強度及びその形状による強度で、前記断面欠損を補うことができる。この場合、横架材通孔５１〜５３と筒状部５６との間の僅かなギャップ（０．５ｍｍ以下）は実質的に無視できる。そのため、壁体４の構造強度の低下を抑制して、建物１の耐震性能及び耐風性能を得ることができる。
【００６９】
以上を要するに前記防炎通気筒状体２４ａ、２４ｂを用いることによって、壁体４の構造強度の低下をもたらすことなく、火災の際に火炎に対して素早く感応して火のまわりを抑制できるとともに、この延焼抑制機能を長期間にわたり維持できる。なお、以上の作用効果は、鉛直材を貫通して設けた筒状体２４ａ、他の筒状体２４ｃについても同様である。
【００７０】
以下、第２〜第１１の実施形態を説明する。これらの実施形態は基本的には第１実施形態と同じ構成であるので、同じ構成には第１実施形態と同じ符号を付して、その構成および作用の説明を省略し、異なる部分について説明する。
【００７１】
図１１〜図１３に示す第２実施形態では、第１実施形態で用いた防炎通気筒状体２４ｂに代えて、エルボ状をなす第４、第５の防炎通気筒状体２４ｄ、２４ｅを用いている。
【００７２】
第４の筒状体２４ｄは、階下側枠体１７ａの上枠２５及びこの上に重ねられた頭繋ぎ２３の横架材通孔５１、５２を貫通して、階下側の壁体内空間４ａと階上側床下空間７０とを連通して設けられる。この筒状体２４ｄは、図１２に示すように上部に孔塞ぎ凸部５７が一体に張り出し形成された縦筒７１と、両端に螺合部を有したエルボ管７２と、横筒７３とからなり、孔塞ぎ凸部５７より上側の縦筒７１上端部をエルボ管７２の一端部に螺合するとともに、横筒７３をエルボ管７２の他端部に螺合して形成されている。縦筒７１、エルボ管７２、及び横筒７３の内、少なくとも縦筒７１の内周面には内側通路を確保して未発泡の耐熱性発泡材からなる閉塞要素が接合して設けられている。
【００７３】
この筒状体２４ｄの縦筒７１は、筒状部として機能するものであって、階下側枠体１７ａの上枠２５及びこの上の頭繋ぎ２３の横架材通孔５１、５２を上方から貫通していて、その下部は上枠２５の下方に突出して配置されている。なお、孔塞ぎ凸部５７が転び止め４３ａの配置の支障とならないようにするための凹状の逃げ２３ａが頭繋ぎ２３の上面に形成され、そこに孔塞ぎ凸部５７が納められている。
【００７４】
第５の筒状体２４ｅは、階上側枠体１７ｂの下枠２６及びこの下に重ねられた耐力面材３６の延出部分３６ａの横架材通孔５１、５３を貫通して、階上側枠体１７ｂの壁体内空間４ｂと階上側床下空間７０とを連通して設けられる。この筒状体２４ｅは、図１３に示すように上端に孔塞ぎ凸部５７が一体に張り出し形成された縦筒７５と、両端に螺合部を有したエルボ管７６と、横筒７７とからなり、縦筒７５の下端部をエルボ管７６の一端部に螺合するとともに、横筒７７をエルボ管７６の他端部に螺合して形成されている。縦筒７５、エルボ管７６、及び横筒７７の内、少なくとも縦筒７５の内周面には内側通路を確保して未発泡の耐熱性発泡材からなる閉塞要素５８が接合して設けられている。
【００７５】
この筒状体２４ｅの縦筒７５は、筒状部として機能するものであって、階上側枠体の下枠２６及び延出部分３６ａの横架材通孔５２、５３を上方から貫通していて、その下部は延出部分３６ａの下方に突出して配置されている。又、第２実施形態では転び止め４３ｂは省略されている。なお、以上説明した構成以外は、図示しない部分を含めて第１実施形態と同じである。
【００７６】
この第２実施形態でも、木材よりも火炎の熱で素早く昇温し、しかも、横架材よりも先に火炎を受けて横架材よりも素早く加熱される金属製筒状部を有した防炎通気筒状体を用いたので、火災の際には耐熱性発泡材からなる閉塞要素を速やかに発泡膨張させて、壁体内通路３の通気を断つことができる。よって、第１実施形態と同様な作用効果がある。しかも、図１１に例示したように階下と階上との間での通気経路を夫々独立させたので、階上側枠体１７ｂの下枠２６及び延出部分３６ａの横架材通孔５２及び５３と、階下側枠体１７ａの上枠２５及びこの上の頭繋ぎ２３の横架材通孔５１及び５２との上下方向の位置合わせが必要なくなる。そのため、前者の横架材通孔５２及び５３に対する縦筒７１の挿通と、後者の横架材通孔５１及び５２に対する縦筒７５の挿通とを容易にできる。なお、このような作業の優位性は、第４防炎通気筒状体２４ｄを縦筒７１だけとするとともに、第５防炎通気筒状体２４ｅを縦筒７５だけとする場合でも同様である。
【００７７】
図１４に示す第３実施形態では、第１〜第３の各防炎通気筒状体２４ａ〜２４ｃ（第７の防炎通気筒状体）をいずれも角筒状に形成している。この構成以外は、図示しない部分を含めて第１実施形態と同じである。したがって、この第３実施形態でも、木材よりも火炎の熱で素早く昇温し、しかも、横架材よりも先に火炎を受けて横架材よりも素早く加熱される金属製筒状部を有した防炎通気筒状体を用いたので、火災の際には耐熱性発泡材からなる閉塞要素を速やかに発泡膨張させて、壁体内通路の通気を断つことができる。よって、第１実施形態と同様な作用効果がある。
【００７８】
図１５に示す第４実施形態で用いた第７の防炎通気筒状体２４ｆは、上端に孔塞ぎ凸部５７を一体に張出した鉄系金属の筒状部５６と、筒状部５６の内側通路５６ａの真上に接近して対向配置した閉塞要素８１と、この要素８１を筒状部５６上に支持する熱溶融剤８２とを備えている。
【００７９】
熱溶融剤８２は周方向に間隔的に設けられて相互間に通気間隙８３を設けている。この通気間隙８３及び内側通路５６ａを通って壁体内通路の通気が維持されるようになっている。熱溶融剤８２は、枠体の上枠、下枠、頭繋ぎ、床体を構成する面材の延出部分などの木製横架材８４や縦枠等の木製鉛直材の耐熱温度以下で、溶融又は蒸発する半田や熱溶融性の合成樹脂等で作られている。
【００８０】
閉塞要素８１は、熱溶融剤８２が所定温度を超える温度で焼失や流出するに伴って自重で落下し、内側通路５６ａを蓋するものである。この閉塞要素８１は鉄系金属等の金属製とするとよく、そして、下端に向けて先細となる形状にするとよい。更に、閉塞要素８１は上部に内側通路５６ａより大径なつば８１ａを有して、この閉塞要素８１により内側通路５６ａの閉じ状態、つまり、壁体内通路の通気を断つ機能を安定できるようになっている。
【００８１】
以上の構成以外は、図示しない部分を含めて第１実施形態と同じである。この第４実施形態では、筒状体２４ｆの筒状部５６が、前記横架材通孔５１〜５３と同様な横架材８４の横架材通孔８５を通って横架材８４の下方に突出されていて、この横架材８４よりも素早く火炎で加熱される筒状部５６の良熱伝導により、閉塞要素８１を支持している熱溶融剤８２を木製横架材８４より速く焼失又は流出させることができる。そのため、落下する閉塞要素８１によって図１５（Ｂ）に示すように内側通路５６ａの栓をすることができる。このように第４実施形態では、筒状部５６の内側通路５６ａを火災時に塞いで壁体内通路の通気を断つことができる防炎通気筒状体２４ｆを用いたので、第１実施形態と同様な作用効果がある。
【００８２】
図１６に示す第５実施形態で用いた第８の防炎通気筒状体２４ｇは、上端に孔塞ぎ凸部５７を一体に張出した筒状部５６のみで形成されている。筒状部５６は形状記憶金属等の難燃性若しくは不燃性の形状記憶材料で形成されている。この筒状部５６は、所定温度に達するまでは、図１６中実線で示す直管形態を維持する。そして、枠体の上枠、下枠、頭繋ぎ、床体を構成する面材の延出部分などの横架材８４や縦枠等の鉛直材の耐熱温度以下（前記所定温度より高い）では、図１６中２点鎖線で示すように前記横架材通孔５１〜５３と同様な横架材８４の横架材通孔８５を貫通して下方に突出された筒状部５６が、内側に縮径してその内面が互いに合わさる記憶形状に変形するようになっている。この記憶形状に変形することにより筒状部５６の内側通路５６ａは閉じ状態に維持される。そのため、この第５実施形態では筒状部５６が閉塞部材として機能する。
【００８３】
この構成以外は、図示しない部分を含めて第１実施形態と同じである。したがって、この第５実施形態でも、火炎に横架材よりも素早く加熱されて形状記憶材料からなる筒状部５６を変形し、壁体内通路の通気を断つことができる防炎通気筒状体２４ｇを用いたので、第１実施形態と同様な作用効果がある。
【００８４】
図１７に示す第６実施形態で用いた第９の防炎通気筒状体２４ｈは、筒状部５６を先細テーパ状に形成し、耐熱性発泡材からなる閉塞要素５８は筒状部５６の下部側（先端側）部分だけに接合して設けられている。この構成以外は、図示しない部分を含めて第１実施形態と同じである。
【００８５】
したがって、この第６実施形態でも、木材よりも火炎の熱で素早く昇温し、しかも、横架材よりも先に火炎を受けて横架材よりも素早く加熱される金属製筒状部を有した防炎通気筒状体を用いたので、火災の際には耐熱性発泡材からなる閉塞要素を速やかに発泡膨張させて、壁体内通路の通気を断つことができる。よって、第１実施形態と同様な作用効果がある。しかも、筒状部５６が先細テーパ状であるので、枠体の上枠、下枠、頭繋ぎ、床体を構成する面材の延出部分などの横架材８４の横架材通孔８６に対する挿通作業性がよい。
【００８６】
図１８に示す第７実施形態で用いた第１０の防炎通気筒状体２４ｉは、筒状部５６の外周を、枠体の上枠、下枠、頭繋ぎ、床体を構成する面材の延出部分などの横架材８４の横架材通孔８５等に圧入して、防炎通気筒状体２４ｉを横架材８４及び鉛直材に固定している。この構成以外は、図示しない部分を含めて第１実施形態と同じである。
【００８７】
したがって、この第７実施形態でも、木材よりも火炎の熱で素早く昇温し、しかも、横架材よりも先に火炎を受けて横架材よりも素早く加熱される金属製筒状部を有した防炎通気筒状体を用いたので、火災の際には耐熱性発泡材からなる閉塞要素を速やかに発泡膨張させて、壁体内通路の通気を断つことができる。よって、第１実施形態と同様な作用効果がある。しかも、第７実施形態では、筒状体２４ｉを圧入により横架材８４等に固定したので、地震などの振動で筒状体２４ｉが不用意に脱落する恐れがないとともに、予め工場で圧入加工できるので、建設工事現場での作業効率向上の点から好ましい。
【００８８】
図１９に示す第８実施形態は、軸組構造の壁体９１を備える木造住宅からなる建物１に本発明を適用した例である。壁体９１は、小屋裏空間７に臨む柱９２、土台１６、桁９３、ファイアーストップ材として機能する縦横区画材のうち少なくとも横区画材としての横架材９４〜９６、及び図示しない筋交いなどを軸組に緊結して構成されている。なお、図１９中符号９９は、壁体９１等の屋外面に配置された合板などの面材を示し、断熱材５、９の屋内面を覆っていて、断熱材５、９が直接火炎に晒されないようにしている。
【００８９】
各横架材９４〜９６は、いずれも壁体９１の幅と同じ幅で作られており、又、横区画材の一部には梁も含まれ、この梁以外の横架材９４〜９６は、壁用内装材３５を支持する部材としても用いられている。ファイアーストップ材として機能する前記縦横区画材は、鉄などの不燃材や、所定厚みを有する木材などの炭化層を形成し得る材料からなり、木材の場合の厚みは例えば３０ｍｍ以上とすればよい。
【００９０】
１階の床下空間１２に臨んだ床体３６ｃは、土台１６上に端部３７ａを支持された床根太３７ｂ上に取付けられている。そのため、床根太３７ｂの厚み分の隙間Ｇを介して壁体９１の最も下側の壁体内空間９１ａは床下空間１２に連通されている。最も上位置の横架材９４の上側部分は小屋裏空間７に連通されている。
【００９１】
上下に隣接する横架材９４、９５間の壁体内空間９１ｂは、横架材９４を厚み方向に貫通して設けられた１以上好ましくは複数の防炎通気筒状体２４ａを介して小屋裏空間７と連通されている。同様に、壁体内空間９１ｂの下側で上下に隣接する横架材９５、９６間の壁体内空間９１ｃは、横架材９５を厚み方向に貫通して設けられた１以上好ましくは複数の防炎通気筒状体２４ａを介して上側の壁体内空間９１ｂと連通されている。同様に、壁体内空間９１ｃとその下側の壁体内空間９１ａとは、これらの間を仕切った横架材９６を厚み方向に貫通して設けられた防炎通気筒状体２４ａを介して連通されている。いずれの筒状体２４ａの下部も、それが貫通した横架材９４〜９５の下方に突出されていて、下方からの火炎を横架材９４〜９５より先に受けるようになっている。
【００９２】
図１９中符号９７は、床根太４１と同幅のかいぎを示し、これは、階上と階下との間の床下空間７０と壁体内空間９１ｃとを仕切っている。このかいぎ９７にも、これを厚み方向に貫通して、壁体内空間９１ｃ内に突出する防炎通気筒状体２４ａが設けられている。かいぎ９７の防炎通気筒状体２４ａは省略してもよい。かいぎ９７は階上用床体３６を下側から支持している。かいぎ９７は壁体内空間９１ｃを横方向に広がろうとする火炎に対するファイアーストップ材として機能するものであり、建物１の外周部（壁体４まわり）だけではなく、建物１内部の間仕切壁等の内部にも設置でき、その使用数や間隔などは任意である。
【００９３】
なお、以上の構成以外は、図示しない部分を含めて第１実施形態と同じである。したがって、この第８実施形態でも、軸組構造の壁体９１において各壁体内空間９１ａ〜９１ｃ及び各防炎通気筒状体２４ａで作られる壁体内通路の通気を、木材よりも火炎の熱で素早く昇温し、しかも、横架材９４〜９６よりも先に火炎を受けて横架材９４〜９６よりも素早く加熱される金属製筒状部を有した防炎通気筒状体２４ａを用いたので、火災の際には耐熱性発泡材からなる閉塞要素を速やかに発泡膨張させて、壁体内通路３の通気を断つことができる。よって、第１実施形態と同様な作用効果がある。
【００９４】
図２０〜図２３に示す第９実施形態では、枠組構造の壁体４において、壁体用内装材３５を支持する胴縁として防炎通気筒状体１２４を適用した例である。この場合に使用する防炎通気筒状体１２４は、木材と同等以上の強度を有する筒状部１５６と、閉塞要素１５８とを具備している。筒状部１５６は、内装下地材が構造強度上有効に作用する材質、例えば金属製とすることが好ましいが、硬質合成樹脂製とすることができる。
【００９５】
筒状部１５６は好ましい例として図２２（Ａ）又は（Ｂ）に示すような略四角筒状に形成されている。図２２（Ａ）の例では、筒状部１５６をなす周壁、詳しくは一対の互いに相対向する平行な壁には複数の固定孔１２１が等間隔又は不等間隔に開けられ、他の一対の相対向する平行な壁には複数の通孔１２２が等間隔又は不等間隔に開けられている。閉塞要素１５８は、筒状部１５６の内面の少なくとも一部、例えば固定孔１２１が開けられた壁の一方の内面に接合して設けられている。この閉塞要素１５８は、所定温度以下では通孔１２２を開いた状態に維持するとともに、所定温度を超える温度では通孔１２２を閉じるように発泡膨張する未発泡の耐火性発泡剤からなる。この閉塞要素１５８には第１実施形態で例示したものを使用できる。図２２（Ｂ）の例では、筒状部１５６の周壁全体が通気可能なように網の目状に形成されている。筒状部１５６はその内側に複数の仕切り壁１５６ａを筒状部１５６の長手方向に間隔的に設けている。各仕切り壁１５６ａが延びる方向の筒状部１５６両端はいずれも開口されている。そして、各仕切り壁１５６ａを境にその両側には、耐火性発泡剤からなる閉塞要素１５８が、筒状部１５６の一側壁内面に接合して設けられている。この閉塞要素１５８には第１実施形態で例示したものを使用できる。
【００９６】
この防炎通気筒状体１２４は建物１の壁体内空間４ａ又は４ｂに臨んで、これら壁体内空間４ａ又は４ｂに対する通気の出入り部分に設けられている。図２０の具体例では、壁体４の横架材として機能する下枠２６及び頭繋ぎ２３（又は上枠２５でもよい。）と、壁用内装材３５とを連結して設けられている。
【００９７】
防炎通気筒状体１２４の配置として図２１又図２３のいずれかを採用できる。図２１の場合には、内装材３５と横架材（上枠２５又は下枠２６或いは頭繋ぎ２３）との間に挟設して、これら３者を釘止めにより連結している。釘１２３は固定孔１２１を通って防炎通気筒状体１２４を貫通する。なお、金属製筒状部１５６の板厚を例えば１ｍｍ〜２ｍｍとする場合には、釘１２３が筒状部１５６を貫通可能であるので、固定孔１２１は省略できる。
【００９８】
図２３の場合には、横架材（上枠２５又は下枠２６或いは頭繋ぎ２３）の内装材３５寄りの部分に防炎通気筒状体１２４を重ねて釘止めし、この筒状体１２４の一側壁を内装材３５の裏面に接触させて内装材３５を支持している。この場合、横架材の内装材３５寄りの部分には、図２３（Ｂ）に示すように通孔１２２と連通する通気用の切欠き１２０が間隔的に設けられている。なお、横架材と内装材３５とは釘止めされている。
【００９９】
以上の構成以外は図示しない部分を含めて第１実施形態と同じである。したがって、この第９実施形態でも、木材よりも火炎の熱で素早く昇温する金属製筒状部１５６を有した防炎通気筒状体１２４を用いたので、火災の際には耐熱性発泡材からなる閉塞要素１５８を筒状部１５６内で速やかに発泡膨張させて、筒状部１５６の通孔１２２を閉じて壁体内通路の通気を断つことができる。よって、第１実施形態と同様な作用効果がある。この場合、図２３の配置のように防炎通気筒状体１２４を設けると、横架材よりも先に火炎を受け易いので、より素早く通気を断つことが可能である。又、図２２の配置において、防炎通気筒状体１２４を横架材の下面より下方に突出させるようにする場合には、同様に、横架材よりも先に火炎を受け易くなるので、より素早く通気を断つことが可能となる。しかも、この第９実施形態では、剛性が高い金属製の防炎通気筒状体１２４を胴縁として用いたので、建物の構造強度が高くなり耐震性及び耐風性を向上できる。
【０１００】
図２４に示す本発明の第１０実施形態は基本的には、図１９に示した第８実施形態等と同じ構成であるので、同じ構成には第８実施形態と同じ符号を付して、その構成および作用の説明を省略し、異なる部分について説明する。
【０１０１】
この第１０実施形態では、軸組構造の壁９１を有した建物１の土台１６と、この上に配置される面材例えば耐力面材としての床体３６との間に、かまし材として利用される防炎通気筒状体１２４が挟設されている。この防炎通気筒状体１２４には、前記第９実施例で説明した図２２（Ａ）に示すものを例えば採用している。壁体内空間９１ａ内に突出する床体３６の延出部分３６ａは、固定孔２１を通る図示しない釘によって木製土台１６に固定されている。この構成以外は図示しない部分を含めて第８実施形態と同じである。
【０１０２】
このように壁体内空間９１ａに対する内側空気の入口部分に防炎通気筒状体１２４を配置しているので、床下空間１２から波及する火炎の熱で木材よりも素早く金属製筒状部１５６を昇温させることができる。このため、この第１０実施形態でも、火災の際には耐熱性発泡材からなる閉塞要素１５８を筒状部１５６内で速やかに発泡膨張させて、筒状部１５６の通孔１２２を閉じて壁体内通路の通気を断つことができる。よって、第１実施形態又は第８実施形態と同様な作用効果がある。しかも、第１０実施形態では、剛性が高い金属製の防炎通気筒状体１２４をかまし材として用いたので、建物の構造強度が高くなり耐震性及び耐風性を向上できる。
【０１０３】
なお、かまし材として利用される防炎通気筒状体を用いる場合、図２４の１階床下空間まわりだけではなく、２階、３階等の階上側床下空間と壁体内とを連通する階上床下空間まわりにも、前記かまし材として機能する防炎通気筒状体を設置して実施することができる。
【０１０４】
図２５に示す第１１実施形態は、軸組構造の壁体９１を備える木造住宅からなる建物１に本発明を適用した例である。壁体９１は、小屋裏空間７に臨む柱９２、土台１６、桁９３、胴差又は梁９８、ファイアーストップ材としての機能を有する縦横区画材のうち少なくとも横区画材としての横架材９４〜９６、及び図示しない筋交いなどを軸組に緊結して構成されている。なお、図２５中符号９９は、壁体９１等の屋外面に配置された合板などの面材を示し、断熱材５、９の屋内面を覆っていて、断熱材５、９が直接火炎に晒されないようにしている。
【０１０５】
各横架材９４〜９６は、いずれも壁体９１の幅と同じ幅で作られており、又、横区画材の一部には梁も含まれ、この梁以外の横架材９４〜９６は、壁用内装材３５を支持する部材としても用いられている。ファイアーストップ材として機能する前記縦横区画材は、鉄などの不燃材や、所定厚みを有する木材などの炭化層を形成し得る材料からなり、木材の場合の厚みは例えば３０ｍｍ以上とすればよい。
【０１０６】
１階の床下空間１２に臨んだ床体３６ｃは、土台１６上に端部３７ａを支持された床根太３７ｂ上に取付けられている。そのため、階下用床根太３７ｂの厚み分の隙間Ｇを介して壁体９１の最も下側の壁体内空間９１ａは１階の床下空間１２に連通されている。最も上位置の横架材９４の上側部分は小屋裏空間７９に連通されている。
【０１０７】
上下に隣接する横架材９４、９５間の壁体内空間９１ｂは、横架材９４を厚み方向に貫通して設けられた１以上好ましくは複数の防炎通気筒状体２４ａを介して小屋裏空間７９と連通されている。同様に、壁体内空間９１ｂの下側で胴差又は梁９８を間に置いてその上下に配設された横架材９５、９６間の壁体内空間９１ｃは、横架材９５を厚み方向に貫通して設けられた１以上好ましくは複数の防炎通気筒状体２４ａを介して上側の壁体内空間９１ｂと連通されている。同様に、壁体内空間９１ｃとその下側の壁体内空間９１ａとは、これらの間を仕切った横架材９６を厚み方向に貫通して設けられた防炎通気筒状体２４ａを介して連通されている。いずれの筒状体２４ａの下部も、それが貫通した横架材９４〜９５の下方に突出されていて、下方からの火炎を横架材９４〜９５より先に受けるようになっている。
【０１０８】
図２５中符号１００は、２階や３階などの階上の床体をなす面材例えば耐力面材３６を下側から支持する床根太を示している。この階上用床根太１００の端部は胴差又は梁９８上に支持されている。このため、階上と階下との間の階上用床下空間７０と壁体内空間９１ｂ、９１ｃとは、床根太３７によって設けられる隙間Ｇを介して連通している。
【０１０９】
なお、以上の構成以外は、図示しない部分を含めて第１実施形態と同じである。したがって、この第１１実施形態でも、軸組構造の壁体９１において各壁体内空間９１ａ〜９１ｃ及び各防炎通気筒状体２４ａで作られる壁体内通路の通気を、木材よりも火炎の熱で素早く昇温し、しかも、横架材９４〜９６よりも先に火炎を受けて横架材９４〜９６よりも素早く加熱される金属製筒状部を有した防炎通気筒状体２４ａを用いたので、火災の際には耐熱性発泡材からなる閉塞要素を速やかに発泡膨張させて、壁体内通路３の通気を断つことができる。よって、第１実施形態と同様な作用効果がある。
【０１１０】
なお、本発明は、ファイアーストップ材としての機能を有する壁体の縦横区画材の内、少なくとも横架材などの横区画材に防炎筒状体を取付けて実施できるとともに、１階床下まわりでのファイアーストップ材の使用は本発明では省略することもできる。又、本発明は前記枠組構造の壁体、又は軸組構造の壁体を備えた木造住宅（建物）であれば適用可能であるが、この場合、壁体構造の一部を軽量型鋼に置換していわゆるスチールハウスとした建物にも適用可能である。更に、本発明は、壁体内空間と外気とが連通しないように外断熱を施した建物、いわゆる単純外断熱建物にも適用でき、この場合、小屋裏換気部及び床下換気部は省略できる。又、本発明は、床体をなす面材（必ずしも耐力面材であることには制約されない。）の床下空間に臨む面に断熱を施した建物、いわゆる床下断熱建物にも適用でき、この場合、小屋裏換気部は省略できるが、床下換気部は設けることが望ましい。又、本発明の防炎通気筒状体は、建物以外例えば船等の建造物に置ける壁体での通気と延焼防止をするためにも適用できる。
【０１１１】
【発明の効果】
請求項１から６の発明によれば、非火災時にはファイアーストップ材として機能する木製横架材を通る通気を確保でき、火災時には火炎に対して素早く感応して前記通気を断って、火のまわりを素早く抑制可能であるとともに、この機能を長期間維持可能な防炎通気筒状体を提供できる。
【０１１２】
枠組構造の壁体において請求項１から６の発明の防炎通気筒状体を用いて壁体内通気路を形成した請求項７の発明、及び軸組構造の壁体において請求項１から６の発明の防炎通気筒状体を用いて壁体内通気路を形成した請求項８の発明によれば、非火災時には壁体内通気路を通しての床下空間から小屋裏空間への通気を確保でき、火災時には火炎に対して素早く感応して前記通気を断って、壁体内通気路を通る火のまわりを素早く抑制可能であるとともに、この機能を長期間維持可能な建物の壁体を提供できる。
【０１１３】
請求項１から６の発明の防炎通気筒状体を用いて壁体内通気路を形成した枠組構造の壁体を備えた請求項９の発明、及び請求項１から６の発明の防炎通気筒状体を用いて壁体内通気路を形成した軸組構造の壁体を備えた請求項１０の発明によれば、非火災時には壁体内通気路を通しての床下空間から小屋裏空間への通気を確保でき、火災時には火炎に対して素早く感応して前記通気を断って、壁体内通気路を通る火のまわりを素早く抑制可能であるとともに、この機能を長期間維持可能な建物を提供できる。
【０１１４】
請求項１１から１３の発明によれば、非火災時には壁体内通路の通気を確保でき、火災時には火炎に対して素早く感応して前記通気を断って、火のまわりを素早く抑制可能であるとともに、この機能を長期間維持可能な防炎通気筒状体を提供できる。
【０１１５】
請求項１１から１３の防炎通気筒状体を用いて壁体内通気路を形成した壁体を備えた請求項１４の発明によれば、非火災時には壁体内通気路を通しての床下空間から小屋裏空間への通気を確保でき、火災時には火炎に対して素早く感応して前記通気を断って、壁体内通気路を通る火のまわりを素早く抑制可能であるとともに、この機能を長期間維持可能な建物を提供できる。
【図面の簡単な説明】
【図１】本発明の第１実施形態の建物が備える枠組構造の壁体まわりを示す断面図。
【図２】図１の枠組構造の壁体が有する開口部まわりを示す断面図。
【図３】図１の枠組構造の壁体の土台まわりを示す断面図。
【図４】図１の建物の２階以上の居室階床下まわりを示す断面図。
【図５】図１の枠組構造の壁体の小屋裏空間まわりを示す断面図。
【図６】図１の枠組構造の壁体が備える枠体を示す斜視図。
【図７】（Ａ）は図１の枠組構造の壁体に用いる第１防炎通気筒状体を示す斜視図。
（Ｂ）は図７（Ａ）の筒状体の横断面図。
（Ｃ）は図７（Ａ）の筒状体の縦断面図。
【図８】（Ａ）は図１の枠組構造の壁体に用いる第２防炎通気筒状体を示す斜視図。（Ｂ）は図８（Ａ）の筒状体の横断面図。
【図９】図１の枠組構造の壁体に用いる第３防炎通気筒状体を示す斜視図。
【図１０】図７から図９の防炎通気筒状体とこれらが取付けられる木材との関係を分解して示す斜視図。
【図１１】本発明の第２実施形態の建物が備える壁体の２階以上の居室階床下まわりを示す断面図。
【図１２】（Ａ）は図１１の２階以上の居室階床下まわりに使用された第４防炎通気筒状体を示す斜視図。
（Ｂ）は図１２（Ａ）の第４防炎通気筒状体を分解して示す側面図。
【図１３】（Ａ）は図１１の２階床以上の居室階下まわりに使用された第５防炎通気筒状体を示す斜視図。
（Ｂ）は図１３（Ａ）の第５防炎通気筒状体を分解して示す側面図。
【図１４】本発明の第３実施形態の建物の壁体に用いる第６防炎通気筒状体を示す斜視図。
【図１５】（Ａ）（Ｂ）は本発明の第４実施形態の建物の壁体に用いる第７防炎通気筒状体を夫々異なる状態で示す断面図。
【図１６】本発明の第５実施形態の建物の壁体に用いる第８防炎通気筒状体を示す断面図。
【図１７】本発明の第６実施形態の建物の壁体に用いる第９防炎通気筒状体を示す断面図。
【図１８】本発明の第７実施形態の建物の壁体に用いる第１０防炎通気筒状体を示す断面図。
【図１９】本発明の第８実施形態の建物が備える軸組構造の壁体まわりを示す断面図。
【図２０】本発明の第９実施形態の建物が備える枠組構造の壁体まわりを示す断面図。
【図２１】図２０の建物が備える胴縁として使用可能な防炎通気筒状体を示す断面図。
【図２２】（Ａ）（Ｂ）は図２１の建物に使用される夫々異なる防炎通気筒状体を示す斜視図。
【図２３】（Ａ）は前記第９実施形態の建物が備える胴縁の配置例を示す断面図。
（Ｂ）は図２３（Ａ）の配置例の平面図
【図２４】本発明の第１０実施形態の建物が枠組構造の壁体の土台まわりを示す断面図。
【図２５】本発明の第１１実施形態の建物が備える軸組構造の壁体まわりを示す断面図。
【符号の説明】
１…建物（建造物）
２…外側通気層
３…壁体内通路（内側通気層）
４…枠組構造の壁体
４ａ、４ｂ…壁体内空間
５…断熱材
６…外装材
７…小屋裏空間
１１…小屋裏ダンパ（小屋裏換気部）
１５…床下ダンパ（床下換気部）
１７ａ、１７ｂ…枠体
２３…頭繋ぎ（横架材）
２４ａ〜２４ｉ…防炎通気筒状体
２６…上枠（横架材）
２７…下枠（横架材）
３６、３６ｃ…面材
３６ａ…面材の延長部分（横架材）
５１〜５３…横架材通孔
５６…筒状部
５６ａ…筒状部の内側通路
５６ｂ…筒状部の通気部
５７…孔塞ぎ凸部
５８…閉塞要素
８１…閉塞要素
８４…横架材
８６…横架材通孔
９１…軸組構造の壁体
９１ａ〜９１ｃ…壁体内空間
９４〜９６…横架材
１２２…通孔
１２４…防炎通気筒状体
１５６…筒状部
１５８…閉塞要素
【図１】
2004052246.tif 000003
【図２】
2004052246.tif 000004
【図３】
2004052246.tif 000005
【図４】
2004052246.tif 000006
【図５】
2004052246.tif 000007
【図６】
2004052246.tif 000008
【図７】
2004052246.tif 000009
【図８】
2004052246.tif 000010
【図９】
2004052246.tif 000011
【図１０】
2004052246.tif 000012
【図１１】
2004052246.tif 000013
【図１２】
2004052246.tif 000014
【図１３】
2004052246.tif 000015
【図１４】
2004052246.tif 000016
【図１５】
2004052246.tif 000017
【図１６】
2004052246.tif 000018
【図１７】
2004052246.tif 000019
【図１８】
2004052246.tif 000020
【図１９】
2004052246.tif 000021
【図２０】
2004052246.tif 000022
【図２１】
2004052246.tif 000023
【図２２】
2004052246.tif 000024
【図２３】
2004052246.tif 000025
【図２４】
2004052246.tif 000026
【図２５】
2004052246.tif 000027